(57)【特許請求の範囲】
【請求項１】
印刷回路基板；
前記印刷回路基板に配置されるイメージセンサー；
前記印刷回路基板に設けられるホルダー部材；
前記ホルダー部材内部に配置されるレンズバレル；
前記ホルダー部材の上側に配置され、オートフォーカシング機能及び手ブレ補正機能のうち少なくとも一つを行う光学モジュール；
前記印刷回路基板と前記光学モジュールとを電気的に接続する通電ユニット；及び
前記ホルダー部材の上部面に設けられるカバー部材を含み、
前記通電ユニットは、
前記印刷回路基板と連結される第１の伝導性部材；
前記第１の伝導性部材と離隔配置されて前記印刷回路基板と連結される第２の伝導性部材；
前記ホルダー部材と前記光学モジュールとの間に配置され、前記第１の伝導性部材を前記印刷回路基板に電気的に接続する第１のプレート部材；
前記ホルダー部材と前記光学モジュールとの間に配置され、前記第１のプレート部材と離隔され、前記第２の伝導性部材を前記印刷回路基板に電気的に接続する第２のプレート部材；及び
前記第１のプレート部材と前記第２のプレート部材を連結する一対のリブ部を含み、
前記リブ部は、前記ホルダー部材と前記カバー部材の外側に露出されて、組み立て工程が完了した後に切断されることを特徴とするカメラモジュール。
【請求項２】
前記光学モジュールは、前記カバー部材の内側空間に位置することを特徴とする請求項１に記載のカメラモジュール。
【請求項３】
前記カバー部材は、
前記ホルダー部材に向き合う底面に、前記光学モジュールと対応する形状の凹溝が形成されることを特徴とする請求項２に記載のカメラモジュール。
【請求項４】
前記凹溝のエッジ部には、
前記光学モジュールのエッジ部に対応する部分に、円形状のギャップ溝が形成されることを特徴とする請求項３に記載のカメラモジュール。
【請求項５】
前記カバー部材は、前記リブ部と対応する位置に形成されるリブ溝部を含むことを特徴とする請求項１に記載のカメラモジュール。
【請求項６】
前記ホルダー部材は、
前記伝導性部材を支持する伝導性部材支持部をさらに含むことを特徴とする請求項１乃至請求項５のいずれか一項に記載のカメラモジュール。
【請求項７】
前記伝導性部材支持部は、
前記ホルダー部材の胴体に形成され、伝導性部材ホールを有する角部；及び
前記ホルダー部材の胴体の外周面に陥没形成され、少なくとも一部が前記伝導性部材と対応する形状を有する伝導性部材溝を含むことを特徴とする請求項６に記載のカメラモジュール。
【請求項８】
前記伝導性部材ホールは、２つで備えられており、
２つの前記伝導性部材ホールは、前記ホルダー部材の胴体の４つの角部分のうち、前記ホルダー部材の中心を基準に対角線方向に配置される２つの角に配置されることを特徴とする請求項７に記載のカメラモジュール。
【請求項９】
前記ホルダー部材は、
底面に、赤外線遮断フィルターが装着されるフィルター装着部が形成されることを特徴とする請求項１乃至請求項８のいずれか一項に記載のカメラモジュール。
【請求項１０】
前記赤外線遮断フィルターは、方形の断面を有し、
前記フィルター装着部は、４つのエッジ部に円形のギャップ溝が形成されることを特徴とする請求項９に記載のカメラモジュール。
【請求項１１】
前記光学モジュールは、
底面に、前記第１及び第２のプレート部材とそれぞれ連結される複数のパッド部を含むことを特徴とする請求項１乃至請求項１０のいずれか一項に記載のカメラモジュール。
【請求項１２】
前記複数のパッド部は、
前記光学モジュールの４つのエッジ部のうち少なくとも２つのエッジ部に対応する位置に配置されることを特徴とする請求項１１に記載のカメラモジュール。
【請求項１３】
前記第１及び第２のプレート部材の厚さは、０．０３ｍｍ以下であることを特徴とする請求項１乃至請求項１２のいずれか一項に記載のカメラモジュール。
【請求項１４】
印刷回路基板；
前記印刷回路基板に配置されるイメージセンサー；
一側が前記印刷回路基板によって支持されるホルダー部材；
前記ホルダー部材の他側に位置するカバー部材；
前記ホルダー部材の内部に配置されるレンズバレル；
前記ホルダー部材と前記カバー部材との間に位置し、オートフォーカシング機能及び手ブレ補正機能のうち少なくとも一つを行う光学モジュール；
前記ホルダー部材と前記カバー部材との間に位置し、前記光学モジュール及び前記印刷回路基板と電気的に接続される第１のプレート部材及び第２のプレート部材；
前記第１のプレート部材及び前記第２のプレート部材のそれぞれを、前記印刷回路基板と電気的に接続する第１の伝導性部材及び第２の伝導性部材；及び
前記第１のプレート部材と前記第２のプレート部材を連結する一対のリブ部を含み、
前記第１のプレート部材は、
前記第１の伝導性部材と連結される第１の端子部；
前記光学モジュールと連結される第１の連結端子部；及び
前記カバー部材の第１の結合突起が結合される第１の貫通ホールを含み、
前記第２のプレート部材は、
前記第２の伝導性部材と連結される第２の端子部；
前記光学モジュールと連結される第２の連結端子部；及び
前記カバー部材の第２の結合突起が結合される第２の貫通ホールを含み、
前記リブ部は、前記ホルダー部材と前記カバー部材の外側に露出されて、組み立て工程が完了した後に切断されることを特徴とするカメラモジュール。
【請求項１５】
前記光学モジュールは、電源が供給されることにしたがって屈折率が変更されることを特徴とする請求項１４に記載のカメラモジュール。
【請求項１６】
前記第１のプレート部材は、
前記第１の端子部と前記第１の連結端子部が位置する第１の一対の端子形成部；及び
前記第１の一対の端子形成部を連結する第１の連結部を含み、
前記第２のプレート部材は、
前記第２の端子部と前記第２の連結端子部が位置する第２の一対の端子形成部；及び
前記第２の一対の端子形成部を連結する第２の連結部を含み、
前記第１の連結部の幅は、前記第１の一対の端子形成部の幅よりも小さく、
前記第２の連結部の幅は、前記第２の一対の端子形成部の幅よりも小さいことを特徴とする請求項１４に記載のカメラモジュール。
【請求項１７】
前記ホルダー部材は、
前記第１の伝導性部材が貫通する伝導性部材ホール；及び
前記ホルダー部材の外周面に形成され、少なくとも一部が前記第１の伝導性部材に対応する形状に備えられる伝導性部材溝を含むことを特徴とする請求項１４乃至請求項１６のいずれか一項に記載のカメラモジュール。
【請求項１８】
本体と、前記本体の一面に配置されて情報をディスプレイするディスプレイ部と、前記本体に設置され映像または写真を撮影するカメラモジュール；及び
請求項１乃至請求項１７のいずれか一項に記載のカメラモジュール、を含むことを特徴とする光学機器。
【発明の詳細な説明】
【技術分野】
【０００１】
本実施例は、カメラモジュール及び光学機器に関する。
【背景技術】
【０００２】
超小型、低電力消費のためのカメラモジュールは、従来の一般的なカメラモジュールに用いられたＶＣＭなどの技術を適用することが困難であることから、これに関連する研究が活発に進められてきていた。
【０００３】
最近、アクチュエータを用いて、オートフォーカシングの作業を行うカメラモジュールが開発され、超小型、低電力、高性能などの価値を証明している。アクチュエータを駆動するためには、両極のＡＦターミナル（Ａｕｔｏ  Ｆｏｃｕｓ  Ｔｅｒｍｉｎａｌ）とＰＣＢ  ＡＦパッド（ＰＣＢ  Ａｕｔｏ  Ｆｏｃｕｓ  Ｐａｄ）とを電気的に接続して、前記アクチュエータを制御することができる。
【０００４】
特に、カメラモジュールの小型化のために、マイクロアクチュエータを用いる場合、上記のように、電極連結のための複雑な工程を行わなければならない。
【発明の概要】
【発明が解決しようとする課題】
【０００５】
本実施例は、オートフォーカシング機能と手ブレ防止機能のうち少なくとも一つ以上を備えることができるように構造が改善されたアクチュエータを有するカメラモジュールを提供しようとする。
【０００６】
また、前記カメラモジュールを含む光学機器を提供しようとする。
【課題を解決するための手段】
【０００７】
本発明の一実施形態に係るカメラモジュールは、イメージセンサーが実装される印刷回路基板；前記印刷回路基板に設けられ、内部にレンズバレルが設けられるホルダー部材；前記ホルダー部材の上側に配置され、オートフォーカシング機能及び手ブレ補正機能のうち少なくとも一つを行う光学モジュール；及び、前記印刷回路基板と光学モジュールとを電気的に接続する通電ユニットを含み、前記通電ユニットは、前記印刷回路基板と連結される第１及び第２の伝導性部材；及び、前記ホルダー部材の上側に配置され、前記第１及び第２の伝導性部材のそれぞれと電気的に接続され、前記光学モジュールを介して電気的に接続される第１及び第２のプレート部材を含むことができる。
【０００８】
前記ホルダー部材の上部面に設けられるカバー部材をさらに含み、前記光学モジュールは、前記カバー部材の内側空間に位置することができる。
【０００９】
前記カバー部材は、前記ホルダー部材に向き合う底面に、前記光学モジュールと対応する形状の凹溝が形成されることができる。
【００１０】
前記凹溝のエッジ部には、前記光学モジュールのエッジ部に対応する部分に円形状のギャップ溝が形成されることができる。
【００１１】
前記第１及び第２のプレート部材を互いに連結する一対のリブ部をさらに含み、前記リブ部は、前記ホルダー部材とカバー部材の外側に露出されて、組み立て工程が完了した後に切断されることができる。
【００１２】
前記カバー部材は、前記リブ部と対応する位置に形成されるリブ溝部を含むことができる。
【００１３】
前記ホルダー部材は、前記伝導性部材を支持する伝導性部材支持部をさらに含むことができる。
【００１４】
前記伝導性部材支持部は、前記ホルダー部材の胴体に形成され、伝導性部材ホールを有する角部；及び、前記ホルダー部材の胴体の外周面に陥没形成され、少なくとも一部が前記伝導性部材と対応する形状を有する伝導性部材溝を含むことができる。
【００１５】
前記伝導性部材ホールは、２つ備えられ、２つの伝導性部材ホールは、前記ホルダー部材の胴体の４つの角部分のうち、前記ホルダー部材の中心を基準に対角線方向に配置される２つの角に配置されることができる。
【００１６】
前記ホルダー部材は、底面に、赤外線遮断フィルターが装着されるフィルター装着部が形成されることができる。
【００１７】
前記赤外線遮断フィルターは、方形の断面を有し、前記フィルター装着部は、４つのエッジ部に円形のギャップ溝が形成されることができる。
【００１８】
前記光学モジュールは、底面に、前記第１及び第２のプレート部材とそれぞれ連結される複数のパッド部を含むことができる。
【００１９】
前記複数のパッド部は、前記光学モジュールの４つのエッジ部のうち少なくとも２つのエッジ部に対応する位置に配置されることができる。
【００２０】
前記第１及び第２のプレート部材の厚さは、０．０３ｍｍ以下であってもよい。
【００２１】
本発明の他の実施形態に係るカメラモジュールは、印刷回路基板；一側が前記印刷回路基板によって支持されるホルダー部材；前記ホルダー部材の他側に位置するカバー部材；前記ホルダー部材とカバー部材との間に位置し、オートフォーカシング機能及び手ブレ補正機能のうち少なくとも一つを行う光学モジュール；前記ホルダー部材とカバー部材との間に位置し、前記光学モジュールと電気的に接続される第１のプレート部材及び第２のプレート部材；及び、前記第１のプレート部材及び第２のプレート部材のそれぞれを、前記印刷回路基板と電気的に接続する第１の伝導性部材及び第２の伝導性部材を含むことができる。
【００２２】
前記光学モジュールは、電源が供給されることにしたがって屈折率が変更されることができる。
【００２３】
前記第１のプレート部材は、前記伝導性部材と連結される端子部；前記光学モジュールと連結される連結端子部；及び、前記カバー部材の結合突起が結合される貫通ホールを含むことができる。
【００２４】
前記第１のプレート部材は、前記端子部と連結端子部が位置する一対の端子形成部；及び、前記一対の端子形成部を連結する連結部を含み、前記連結部の幅は、前記一対の端子形成部の幅より小さくてもよい。
【００２５】
前記ホルダー部材は、前記第１の伝導性部材が貫通する伝導性部材ホール；及び、前記ホルダー部材の外周面に形成され、少なくとも一部が前記第１の伝導性部材に対応する形状に備えられる伝導性部材溝を含むことができる。
【００２６】
本発明の一実施形態に係る光学機器は、本体と、前記本体の一面に配置されて情報をディスプレイするディスプレイ部と、前記本体に設置されて映像または写真を撮影するカメラモジュールを含み、前記カメラモジュールは、印刷回路基板；一側が前記印刷回路基板によって支持されるホルダー部材；前記ホルダー部材の他側に位置するカバー部材；前記ホルダー部材とカバー部材との間に位置し、オートフォーカシング機能及び手ブレ補正機能のうち少なくとも一つを行う光学モジュール；前記ホルダー部材とカバー部材との間に位置し、前記光学モジュールと電気的に接続される第１のプレート部材及び第２のプレート部材；及び、前記第１のプレート部材及び第２のプレート部材のそれぞれを、前記印刷回路基板と電気的に接続する第１の伝導性部材及び第２の伝導性部材を含むことができる。
【発明の効果】
【００２７】
本発明を通じて、光学モジュール側に電源を印加するための別途の回路基板を必要としないため、回路基板の厚さだけカメラモジュールの高さを下げることができる。
【００２８】
また、通電可能な材質から形成された少なくとも一対の伝導性部材によって光学モジュールと印刷回路基板とを電気的に接続しながら、伝導性部材が外部の衝撃などによってホルダー部材が変形されることを防止することができる。
【００２９】
また、液体レンズやＬＣレンズなどのように屈折率を変更して、オートフォーカシング機能及び／又は手ブレ補正を行う多様な形態の光学モジュールに汎用的に適用することができ、カメラモジュールの生産性を向上させることができる。
【図面の簡単な説明】
【００３０】
【図１】本発明の一実施形態に係るカメラモジュールの組み立て直後の斜視図である。
【図２】図１に示されるカメラモジュールの分解斜視図である。
【図３】図１に示されるカメラモジュールからリブ部を除去した状態を示す図である。
【図４】本発明の一実施形態に係るホルダー部材の斜視図である。
【図５】本発明の一実施形態に係るホルダー部材の底面斜視図である。
【図６】本発明の一実施形態に係るホルダー部材の底面を示す底面図である。
【図７】本発明の一実施形態に係るカバー部材を示す斜視図である。
【図８】本発明の一実施形態に係るカバー部材の底面を示す底面斜視図である。
【図９】本発明の一実施形態に係るカバー部材の底面を示す底面図である。
【図１０】図１に示されるカメラモジュールのＩ−Ｉ断面図である。
【図１１】図１に示されるカメラモジュールのＩＩ−ＩＩ断面図である。
【図１２】本発明の他の実施形態に係るプレート部材の斜視図である。
【発明を実施するための形態】
【００３１】
以下、本発明の一部の実施例を例示的な図面を用いて詳細に説明する。各図面の構成要素に参照符号を付加するにあたって、同一の構成要素に対しては、たとえ他の図面上に示されても、できる限り同一の符号を有するようにしていることに留意すべきである。また、本発明の実施例を説明するにあたって、関連する公知の構成または機能に対する具体的な説明が本発明の実施例の理解を妨げると判断される場合には、その詳細な説明は省略する。
【００３２】
また、本発明の実施例の構成要素を説明するにあたって、第１、第２、Ａ、Ｂ、（ａ）、（ｂ）などの用語を使用することができる。これらの用語は、その構成要素を他の構成要素と区別するためのものであって、その用語によって該当構成要素の本質や順番または順序などが限定されることはない。或る構成要素が他の構成要素に「連結」、「結合」または「接続」されると記載されている場合、その構成要素は、その他の構成要素に直接に連結されるか、接続されることができるが、各構成要素の間にまた他の構成要素が「連結」、「結合」または「接続」されることもできると理解すべきである。
【００３３】
以下で使用する「ＰＣＢ」は、Ｐｒｉｎｔｅｄ  Ｃｉｒｃｕｉｔ  Ｂｏａｒｄの略称であって、印刷回路基板を意味する。また、以下で使用する「ＦＰＣＢ」は、Ｆｌｅｘｉｂｌｅ  Ｐｒｉｎｔｅｄ  Ｃｉｒｃｕｉｔ  Ｂｏａｒｄの略称であって、軟性の印刷回路基板を意味する。
【００３４】
以下では、本発明の一実施形態に係る光学機器の構成を説明する。
【００３５】
本発明の一実施形態に係る光学機器は、携帯電話、スマートフォン（ｓｍａｒｔ  ｐｈｏｎｅ）、携帯用スマート機器、デジタルカメラ、ノートパソコン（ｌａｐｔｏｐ  ｃｏｍｐｕｔｅｒ）、デジタル放送用端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーションなどであるが、これらに限定されるものではなく、映像または写真を撮影するための如何なる装置も可能である。
【００３６】
本発明の一実施形態に係る光学機器は、本体（図示せず）と、前記本体の一面に配置されて情報をディスプレイするディスプレイ部（図示せず）と、前記本体に設置されて映像または写真を撮影し、カメラモジュールを有するカメラとを含む。
【００３７】
以下では、前記カメラモジュールの構成を図面を参照して説明する。
【００３８】
図１は、本発明の一実施形態に係るカメラモジュールの組み立て直後の斜視図であり、図２は、図１に示されるカメラモジュールの分解斜視図であり、図３は、図１に示されるカメラモジュールからリブ部を除去した状態を示す図であり、図４は、本発明の一実施形態に係るホルダー部材の斜視図であり、図５は、本発明の一実施形態に係るホルダー部材の底面斜視図であり、図６は、本発明の一実施形態に係るホルダー部材の底面を示す底面図であり、図７は、本発明の一実施形態に係るカバー部材を示す斜視図であり、図８は、本発明の一実施形態に係るカバー部材の底面を示す底面斜視図であり、図９は、本発明の一実施形態に係るカバー部材の底面を示す底面図であり、図１０は、図１に示されるカメラモジュールのＩ−Ｉ断面図であり、図１１は、図１に示されるカメラモジュールのＩＩ−ＩＩ断面図であり、図１２は、本発明の他の実施形態によるプレート部材の斜視図である。
【００３９】
図１乃至図３を参照すると、本発明の一実施形態に係るカメラモジュールは、印刷回路基板１０、ホルダー部材２０、光学モジュール３０を含む。また、本発明の一実施形態に係るカメラモジュールは、別途のカバー部材４０をさらに含む。
【００４０】
印刷回路基板１０には、イメージセンサー１１が中央部に実装される。また、印刷回路基板１０には、複数個の手動及び／又は能動素子１１ａが実装される。一方、印刷回路基板１０には、ホルダー部材２０が結合される少なくとも１つ以上の結合孔１２または溝が形成される。結合孔１２または溝の位置は、ホルダー部材２０に形成された結合突起２０ａの位置に対応する。また、結合孔１２または溝の形状は、図示のように、円筒状に設けられてもよい。ただし、これに限定されるものではなく、結合突起２０ａの形状に応じて、三角柱、四角柱など、多様に変更可能である。
【００４１】
回路基板パッド部１３は、伝導性部材１１０がはんだ付けまたは伝導性エポキシ、Ａｇエポキシなどで結合及び／又は固定されるための所である。一方、回路基板パッド部１３を介して、光学モジュール３０は、電源を印加されることができる。伝導性部材１１０は、ピン部材、プレート部材、ワイヤ、基板、ＰＣＢ、またはＦＰＣＢであってもよい。ただし、これに限定されるものではなく、伝導性部材１１０は、電気的に接続することができる材質であればどのような形状でも可能である。回路基板パッド部１３は、図２に示すように、少なくとも２つ設けられる。このとき、それぞれの回路基板パッド部１３は、互いに異なる極性の電源または互いに異なる電源と接続することができる。また、回路基板パッド部１３を介して光学モジュール３０に電流が印加されることができる。また、回路基板パッド部１３は、最大限に広い接触面積を確保することができるように三角形状に設けられてもよい。しかし、これに限定されるものではなく、方形、円形など多様な形態で形成することができる。伝導性部材１１０は、一例として、一対で備えられてもよい。つまり、伝導性部材１１０は、第１の伝導性部材及び第２の伝導性部材を含むことができる。
【００４２】
連結ケーブル１４は、印刷回路基板１０に電源及び制御信号などを伝達することができる。コネクタ部１５は、カメラモジュールが連結される電子機器側と結合されて、電源及び／又は制御信号を入力されることができる。
【００４３】
ホルダー部材２０は、一例として、図４乃至図６に示すように、内周面にねじ山２１が形成されてもよい。ねじ山２１には、一枚以上のレンズ２５ａを有するレンズバレル２５がネジ結合される。しかし、これに限定されるものではなく、レンズバレル２５は、ホルダー部材２０とねじ結合することなく、ねじ山無しで直接に接着剤等で結合されてもよい。また、レンズバレル２５は、ホルダー部材２０と共に射出成形することもできる。
【００４４】
ホルダー部材２０は、底面に、赤外線遮断フィルター２２が設置されるためのフィルター装着部２２ａが凹に形成される。フィルター装着部２２ａは、赤外線遮断フィルター２２の大きさと対応するか、若干大きく形成することができ、図６に示すように、赤外線遮断フィルター２２の４つの角部分と対応する位置には、略円または曲面状のギャップ溝２２ｂが形成される。赤外線遮断フィルター２２の４つの角が尖って形成されるとき、フィルター装着部２２ａの角部分が公差の範囲内で赤外線遮断フィルター２２の角のように鋭く形成できない場合、正確に赤外線遮断フィルター２２が装着できなかったり、または、赤外線遮断フィルター２２が破損され得る。ギャップ溝２２ｂは、このような組み立て工程中のエラーを防止するためのものである。このようなギャップ溝２２ｂを構成すると、ホルダー部材２０を射出する過程中で、フィルター装着部２２ａの角部分がギャップ溝２２ｂによって丸く形成されるため、この部分で赤外線遮断フィルター２２の４つの角が干渉することを防止することができ、正確な位置に赤外線遮断フィルター２２が固定結合されることが可能である。
【００４５】
ホルダー部材２０の複数の角部分及び複数の側面部分のうちの少なくとも２カ所には、伝導性部材支持部２８が形成されて、後述する伝導性部材１１０を固定、配置、結合または挿入することができる。
【００４６】
伝導性部材支持部２８は、伝導性部材ホール２６ａが形成された角部２６と、伝導性部材溝２７とを含む。伝導性部材支持部２８は、一対で備えられてもよい。つまり、伝導性部材支持部２８は、第１の伝導性部材支持部及び第２の伝導性部材支持部を含む。
【００４７】
角部２６は、ホルダー部材２０の胴体に形成することができる。一方、角部２６は、図４に示すように、ホルダー部材２０の角部分の上下方向の中央部に形成される。このように角部２６を形成する理由は、より安価にホルダー部材２０の射出のための金型を製作するためのものである。しかし、角部２６の上側及び下側を切開された形状とせず、伝導性部材ホール２６ａのみを形成して、伝導性部材ホール２６ａに伝導性部材１１０がインサートされて一体に射出形成することができる。また、図示のように、角部２６の上側及び下側の部分を除去して伝導性部材ホール２６ａを形成すると、別途のインサート物を挿入する必要なく、伝導性部材ホール２６ａを形成することができる。
【００４８】
伝導性部材溝２７は、角部２６に形成された伝導性部材ホール２６ａと連結されることができる。伝導性部材溝２７は、角部２６の上側及び下側に切開されて露出された角部に凹に形成される。このとき、伝導性部材溝２７の凹な曲率は、伝導性部材１１０の外周面の曲率と対応するように形成される。この場合、伝導性部材溝２７は、伝導性部材１１０の側面を支持することができる。一方、伝導性部材１１０が平らな場合、伝導性部材溝２７は、平らであり、別途の伝導性部材溝がない場合もある。また、伝導性部材溝２７及び／又は伝導性部材ホール２６ａによって、伝導性部材１１０は、組み立て時に正確な位置を維持することができる。
【００４９】
一方、角部２６と伝導性部材溝２７とを含む伝導性部材支持部２８は、伝導性部材１１０の配置位置に対応するように配置される。例えば、伝導性部材１１０がホルダー部材２０の一側面に並んで配置されると、伝導性部材支持部２８もまた、ホルダー部材２０の一側面に並んで配置される。また、伝導性部材１１０がホルダー部材２０の中心を基準に対角線方向に配置されると、伝導性部材支持部２８もまた、ホルダー部材２０の対角線方向に配置される。
【００５０】
一方、ホルダー部材２０の底面には、印刷回路基板１０との結合のための結合突起２０ａが突設される。ただし、別途の結合突起が形成されない場合もある。結合突起２０ａは、ホルダー部材２０の角部分に配置される。また、結合突起２０ａは、伝導性部材支持部２８が形成されていない位置に配置されてもよい。つまり、図５に示すように、伝導性部材支持部２８が互いに対角線方向に配置されると、結合突起２０ａは、伝導性部材支持部２８が形成されていない残りの角部分に形成されてもよい。
【００５１】
光学モジュール３０は、ホルダー部材２０の上側に配置され、オートフォーカシング機能及び／又は手ブレ補正機能のうち少なくとも一つを有してもよい。光学モジュール３０は、図２に示すように、略直六面体に設けられる。光学モジュール３０は、一例として、図１０及び図１１に示すように、少なくとも２つのパッド部３１が形成される。また、光学モジュール３０は、４つのパッド部が形成されてもよい。パッド部３１は、後述する第１及び第２のプレート部材１２１、１２２と電気的に接続できる。これについては、後で、第１及び第２のプレート部材１２１、１２２と共に説明する。
【００５２】
光学モジュール３０は、単レンズムービング方式のアクチュエータで設けられる。また、光学モジュール３０は、レンズの屈折率を可変させて、オートフォーカシング及び／又は手ブレ補正を行うことができるように構成することもできる。例えば、オートフォーカシングのために、ＬＣ（Ｌｉｑｕｉｄ  Ｃｒｙｓｔａｌ）レンズや、液体レンズ、ピエゾポリマーレンズなどからなる可変レンズを有するアクチュエータを更に構成して、レンズを物理的に動くことなく、通過する光の屈折率を変化させて、オートフォーカシング及び／又は手ブレ補正機能を行うことも可能である。つまり、アクチュエータは、静電気力、圧電力などを用いて動く、ＭＥＭＳアクチュエータ（ＭＥＭＳ  ａｃｔｕａｔｏｒ）、ＭＥＭＳピエゾアクチュエータ（ＭＥＭＳ  Ｐｉｅｚｏ  ａｃｔｕａｔｏｒ）、ＭＥＭＳバイモルフアクチュエータ（ＭＥＭＳ  ｂｉｍｏｒｐｈ  ａｃｔｕａｔｏｒ）、ＭＥＭＳサーマルアクチュエータ（ＭＥＭＳ  ｔｈｅｒｍａｌ  ａｃｔｕａｔｏｒ）、ＭＥＭＳマグネチックアクチュエータ（ＭＥＭＳ  ｍａｇｎｅｔｉｃ  ａｃｔｕａｔｏｒ）、ＭＥＭＳリキッドアクチュエータ（ＭＥＭＳ  ｌｉｑｕｉｄ  ａｃｔｕａｔｏｒ）、非ＭＥＭＳ方式のアクチュエータ、シリコン方式のアクチュエータ、液体レンズなどのうちいずれか一つであってもよく、これらの組み合わせからなる可能なアクチュエータであってもよい。
【００５３】
カバー部材４０は、ホルダー部材２０の上部面に設置または配置されて、光学モジュール３０及び／又はホルダー部材２０を保護することができる。カバー部材４０は、ホルダー部材２０の上部面と対応する形状に設けられる。例えば、ホルダー部材２０が方形の上部面を有する場合、カバー部材４０は、ホルダー部材２０の上部面と対応する大きさに形成される。つまり、カバー部材４０の底面がホルダー部材２０の上部面に結合できる。
【００５４】
カバー部材４０は、図７に示すように、中央に通孔４１が形成されてもよい。通孔４１を介して光が通過して、レンズバレル２５に像が含まれている光が伝達される。
【００５５】
カバー部材４０の底面には、図８に示すように、少なくとも１つ以上の結合突起４２がホルダー部材２０に向かって突設される。結合突起４２は、様々な形状に設けられることができる。結合突起４２は、一例として、円柱状に設けられてもよい。このとき、組み立ての便宜性を向上させることができるよう、終端には、テーパーした傾斜面が形成されることができる。
【００５６】
一方、結合突起４２は、図示のように、カバー部材４０の中心を基準に対角線方向に突設される。このとき、結合突起４２の位置は、伝導性部材１１０の位置と重ならないように配置される。つまり、伝導性部材１１０の配置位置が、図示のように、ホルダー部材２０の中心を基準に対角線方向に配置される場合、結合突起４２は、これと干渉しないように、伝導性部材１１０が設けられていない他方の角の付近に設けられる。逆に、図示していないが、伝導性部材１１０がホルダー部材２０の一側面に並んで配置される場合には、結合突起４２は、伝導性部材１１０が配置されていない他方面に配置される。ただし、これは、一実施形態に過ぎず、互に干渉しない位置であればどこでも可能である。
【００５７】
カバー部材４０の底面の奥側には凹に形成された凹溝４３が形成される。凹溝４３は、光学モジュール３０の形状と対応するか、大きな形状に設けられ、図示のように、光学モジュール３０が方形であれば、凹溝４３も方形の形状に設けられる。また、光学モジュール３０が円形であれば、凹溝４３も円形に形成される。このとき、凹溝４３の４つの角部分には、図９に示すように、円形状のギャップ溝４１ａが形成される。ギャップ溝４１ａは、凹溝４３の四辺が光学モジュール３０の対応する辺と密着配置される場合、角部分の公差によって、光学モジュール３０が正確に密着できるように形成されたものである。ギャップ溝４１ａは、凹溝４３のエッジ（ｅｄｇｅ）部に形成される。一方、ギャップ溝４１ａは、公差によって凹溝４３に光学モジュール３０が正位置に装着できない現象を防止することができる。
【００５８】
通電ユニットは、２つの伝導性部材１１０と、第１及び第２のプレート部材１２１、１２２で構成されたプレート部材１２０とを含む。
【００５９】
伝導性部材１１０が、ピンまたはワイヤであれば、円柱状に設けられてもよい。また、伝導性部材１１０は、金属のような通電性の材質で形成されてもよい。一方、伝導性部材１１０の上部面と下部面は、フラット（ｆｌａｔ）に形成されてもよい。したがって、図１１に示すように、伝導性部材１１０の下部面は印刷回路基板１０の回路基板パッド部１３と、伝導性部材１１０の上部面はプレート部材１２０と、はんだ付けまたはＡｇエポキシなどのような通電性の接着剤Ｓで固定されることができる。また、伝導性部材１１０は、角部２６に貫通形成された伝導性部材ホール２６ａに貫通結合され得る。このとき、伝導性部材１１０の側壁は、伝導性部材ホール２６ａと連結された伝導性部材溝２７によって支持される。ただし、別途の伝導性部材溝がない場合もある。
【００６０】
プレート部材１２０は、第１及び第２のプレート部材１２１、１２２を含む。第１のプレート部材１２１と第２のプレート部材１２２は、互いに離隔して配置される。また、第１のプレート部材１２１と第２のプレート部材１２２は、伝導性部材１１０及び光学モジュール３０を介して電気的に接続される。また、第１及び第２のプレート部材１２１、１２２は、電気的に絶縁されて、端子機能を果たすこともできる。
【００６１】
図２及び図１２に示すように、第１のプレート部材１２１と第２のプレート部材１２２は、同一の形態で設けられてもよい。ただし、図示していないが、他の形状に設けられてもよい。第１及び第２のプレート部材１２１、１２２の形状は、設計に応じて決定されるものであるため、通電可能な状態でホルダー部材２０の上部面に配置することができる形態であれば、どのようなものでも可能である。
【００６２】
一方、図１２に示すように、第１及び第２のプレート部材１２１、１２２は、分離した２つの部材から形成することもできる。このとき、それぞれの第１及び第２のプレート部材１２１、１２２は、光学モジュール３０に先に結合された後に組み立てられることも可能である。または、ホルダー部材２０の上部面に先に結合することもできる。つまり、薄い板状の第１及び第２のプレート部材１２１、１２２をホルダー部材２０の上部面に先に固定した後、その上に、光学モジュール３０を実装してもよい。第１及び第２のプレート部材１２１、１２２は、伝導性部材１１０と連結される端子部１２４と、光学モジュール３０と連結される連結端子部１２６と、カバー部材４０の結合突起４２が結合される貫通ホール１２５とを含む。また、第１及び第２のプレート部材１２１、１２２は、端子部１２４と連結端子部１２６が位置する一対の端子形成部１２０ａと、一対の端子形成部１２０ａを連結する連結部１２０ｂとを含む。このとき、連結部１２０ｂの幅は、一対の端子形成部１２０ａの幅より小さくてもよい。
【００６３】
一方、図２に示すように、第１及び第２のプレート部材１２１、１２２は、リブ部１２３で連結される。リブ部１２３は、第１及び第２のプレート部材１２１、１２２をプレス加工を通じて形成するとき、加工後、互いに分離しないようにするために形成されたものである。リブ部１２３によって第１及び第２のプレート部材１２１、１２２は、互いについた状態で組み立て工程中に伝達される。以後、リブ部１２３は、組み立ての完了後に、図３に示すように、切断される。切断の位置には、エポキシ樹脂などを注入してシーリングすることができる。
【００６４】
カバー部材４０には、リブ部１２３と対応する位置にリブ溝４５を形成してもよい。リブ溝４５を介してリブ部１２３が露出されてもよい。また、第１及び第２のプレート部材１２１、１２２には、端子部１２４と貫通ホール１２５がそれぞれ形成される。
【００６５】
端子部１２４は、伝導性部材１１０と対応する位置に配置されて、伝導性部材１１０の上部面と、はんだ付け、Ａｇエポキシ、伝導性エポキシなどのような通電性部材で連結されて、電源、電流、または、電力及び電流の供給を受けることができる。つまり、図１１に示すように、光学モジュール３０のパッド部３１と対応される第１及び第２のプレート部材１２１、１２２の対応する位置には、図２に示すように、連結端子部１２６が設けられ、これらの間のはんだ付けなどの連結を通じて光学モジュール３０に電源、電流、または、電源及び電流を供給することができる。
【００６６】
貫通ホール１２５は、図２、図１０、及び図１２に示すように、カバー部材４０に形成された結合突起４２が通過するものであって、ホルダー部材２０の突起収容溝２３と対応する位置に形成される。このとき、貫通ホール１２５の径は、結合突起４２と対応する。
【００６７】
以上のように、プレート部材１２０で光学モジュール３０に電源及び／又は電流を供給すると、従来のＦＰＣＢなどを用いた配線装置を使用する場合と比べて、カメラモジュールの高さを減らすことができる。ＦＰＣＢなどのような基板を用いる場合、その厚さは、一般に０．１５ｍｍほどになる。しかし、本実施形態のように、プレート部材１２０で構成すると、その厚さを最小０．０３ｍｍ以下に形成することが可能である。ただし、必要に応じて、その厚さは、０．１ｍｍ以内、０．０７ｍｍ以内、０．０５ｍｍ以内など、設計の必要に応じて多様に構成することも可能である。
【００６８】
一方、上記のように構成されたカメラモジュールは、フォーカシング工程のない焦点無調節方式のカメラモジュールであってもよい。つまり、焦点無調節方式のカメラモジュールは、ホルダー部材２０を含むが、ホルダー部材２０の内側に１枚以上のレンズで構成されたレンズバレル２５が直接設置されることもある。しかし、これに限定されるものではなく、図示していないが、従来の焦点調節方式のカメラモジュールにも適用可能である。
【００６９】
一方、ホルダー部材２０の外方には、金属材質のシールド缶（図示せず）を別途に構成することもできる。この場合、伝導性部材とシールド缶との間に絶縁性のエポキシのような絶縁部材を更に塗布することもできる。すると、絶縁部材が伝導性部材とシールド缶との間のショートを防止することができる。しかし、伝導性部材１１０の配置された位置がシールド缶と物理的に離隔するように形成された構造であれば、別途の絶縁部材が無くても可能であり、実施形態の場合も、別途の絶縁部材が無い場合もある、この場合、プレート部材１２０がホルダー部材２０の外側に露出または突出しないように構成することができる。
【００７０】
以上で、本実施例に係る実施形態を説明したが、これは、例示的なものに過ぎず、当該分野における通常の知識を有する者であれば、これより、様々な変形及び均等な範囲の実施例が可能であるという点を理解することができる。したがって、本実施例の真の技術的保護範囲は、次の特許請求の範囲によって定められるべきである。
【図１】
0006634383.tif 000002
【図２】
0006634383.tif 000003
【図３】
0006634383.tif 000004
【図４】
0006634383.tif 000005
【図５】
0006634383.tif 000006
【図６】
0006634383.tif 000007
【図７】
0006634383.tif 000008
【図８】
0006634383.tif 000009
【図９】
0006634383.tif 000010
【図１０】
0006634383.tif 000011
【図１１】
0006634383.tif 000012
【図１２】
0006634383.tif 000013